(57)【要約】【課題】オゾン破壊係数及び地球温暖化に及ぼす影響が極めて低く、しかも冷媒能力がＲ４１０Ａとほぼ同等若しくはそれ以上の値を示し且つ不燃である混合物を提供する。【解決手段】ジフルオロメタン１０ｍａｓｓ％〜６０ｍａｓｓ％とトリフルオロヨードメタン９０ｍａｓｓ％〜４０ｍａｓｓ％からなる不燃性冷媒組成物。【選択図】図１
2009024152.tif 000002
【特許請求の範囲】
【請求項１】
ジフルオロメタン１０ｍａｓｓ％〜６０ｍａｓｓ％とトリフルオロヨードメタン９０ｍａｓｓ％〜４０ｍａｓｓ％からなる不燃性冷媒組成物。
【請求項２】
ジフルオロメタン２０ｍａｓｓ％〜６０ｍａｓｓ％とトリフルオロヨードメタン８０ｍａｓｓ％〜４０ｍａｓｓ％からなる請求項１に記載の組成物。
【請求項３】
ジフルオロメタン２０ｍａｓｓ％〜５０ｍａｓｓ％とトリフルオロヨードメタン８０ｍａｓｓ％〜５０ｍａｓｓ％からなる請求項１に記載の組成物
【請求項４】
ジフルオロメタンとトリフルオロヨードメタンとの合計量１００重量部に対して、更に、安定化剤を０．１〜１０重量部含有する請求項１〜３のいずれかに記載の組成物。
【請求項５】
請求項１〜４の何れかに記載の不燃性冷媒組成物からなるＲ４１０Ａの代替冷媒。
【発明の詳細な説明】
【技術分野】
【０００１】
本発明は、ジフルオロメタンとトリフルオロヨードメタンとの不燃性冷媒組成物、更に安定化剤を加えた不燃性冷媒組成物に関する。本発明の不燃性冷媒組成物は、家庭用又は業務用エアコンに広く使用されているＲ４１０Ａ代替冷媒として好適である。
【背景技術】
【０００２】
従来、冷凍機における冷媒、ヒートポンプにおける熱媒体等としてはクロロフルオロ炭化水素、フルオロ炭化水素が使用され、これらの単体若しくは共沸組成物及び混合物等はフロンと称されていた。
【０００３】
しかし、近年、大気中に放出されたそれらフロン類がオゾン層を破壊し、人類を含む地球上の生態系に重大な悪影響を及ぼすことが指摘されており、既にオゾン層破壊の危険性が高いフロンについては国際的な取り決めにより、使用及び生産が規制されるに至っている。ジクロロジフルオロメタン（Ｒ１２）は主に家庭用冷蔵庫、カーエアコン、ターボ冷凍機、コンテナ用冷凍装置の冷媒として使用されてきたが、前述の規制により1,1,1,2−テトラフルオロエタン（ＨＦＣ１３４ａ）に代替された。
【０００４】
しかしながら、ＥＵではRegulation on certain fluorinated greenhouse gases 及びDirective relating to emissions of f-gas form air conditioning systems fitted to carsの２つの法規制（Ｆガス規制）が２００６年６月に公布され、モバイル型空調機器（カーエアコン）については２０１１年から新たに出荷される新型車及び２０１７年からは全ての車両について地球温暖化係数（ＧＷＰ）１５０以下の冷媒の使用が義務付けられ、現在搭載されているＨＦＣ１３４ａについてもＧＷＰ１３００を示しているため、その代替候補としてＣＯ２等が提案されている。
【０００５】
家庭用エアコンについてもＨＣＦＣ−２２から混合ＨＦＣガスであるＲ４１０Ａ（ＨＦＣ３２／ＨＦＣ１２５＝５０／５０（ｍａｓｓ％））に代替されているが、不燃でオゾン破壊係数を持たない利点はあるがＧＷＰ値が１９８０と高いものであり、そのため、低ＧＷＰで且つエネルギー効率、冷媒特性（冷凍能力、沸点、圧力、不燃等）がＲ４１０Ａとほぼ同等で機器の改良の必要性が少ない又は軽微である不燃冷媒の開発が望まれている。
【０００６】
ＣＦ３ＩとＨＦＣ３２の混合冷媒組成物が提案されている（特許文献１〜３）。特許文献１ではそれらの混合物はＨＦＣ３２が９５ｍａｓｓ％以下で不燃であるとされている。
【特許文献１】特開平４−３２３２９４
【特許文献２】特開２０００−１７８５４３
【特許文献３】ＵＳ２００５０２３３９３３Ａ１
【発明の開示】
【発明が解決しようとする課題】
【０００７】
本発明者は、ASHRAE Standardの燃焼性測定方法(実施例参照)に基づきＣＦ３ＩとＨＦＣ３２の混合冷媒の不燃性範囲について再検討したところ、ＨＦＣ３２が８０％でも可燃性であることが新たにわかった。また、特許文献２，３ではそれぞれＨＦＣ３２が６０ｍａｓｓ％以上、６７ｍａｓｓ％以上で共沸様になるとの記載があるが燃焼性については記載がない。
【０００８】
本発明の主な目的は、オゾン破壊の恐れが小さい若しくは０に近く、冷媒特性がＲ４１０Ａとほぼ同等で且つ不燃でありながら、地球温暖化に及ぼす影響（ＧＷＰ値）はＲ４１０Ａの１／５〜１／１０と地球環境に影響を与えない代替品として各種の用途に有用な混合物を提供することである。
【課題を解決するための手段】
【０００９】
本発明者は、上述した如き課題に鑑みて鋭意研究を重ねた結果、冷凍性能は非常に高いが燃焼範囲を有するために冷媒としては単独で使用できないジフルオロメタンに不燃性ガスであるトリフルオロヨードメタンを混合することで、その混合物が不燃性冷媒組成物を形成し、且つジフルオロメタンの冷凍性能を損なわない混合範囲がある事を見出した。
【００１０】
即ち、本発明は、下記の不燃性冷媒組成物である冷媒を提供するものである。
項１：ジフルオロメタン１０ｍａｓｓ％〜６０ｍａｓｓ％とトリフルオロヨードメタン９０ｍａｓｓ％〜４０ｍａｓｓ％からなる不燃性冷媒組成物。
項２：ジフルオロメタン２０ｍａｓｓ％〜６０ｍａｓｓ％とトリフルオロヨードメタン８０ｍａｓｓ％〜４０ｍａｓｓ％からなる項１に記載の組成物。
項３：ジフルオロメタン２０ｍａｓｓ％〜５０ｍａｓｓ％とトリフルオロヨードメタン８０ｍａｓｓ％〜５０ｍａｓｓ％からなる項１に記載の組成物
項４：ジフルオロメタンとトリフルオロヨードメタンとの合計量１００重量部に対して、更に、安定化剤を０．１〜１０重量部含有する請求項１〜３のいずれかに記載の組成物。項５：項１〜４の何れかに記載の不燃性冷媒組成物からなるＲ４１０Ａの代替冷媒。
【発明の効果】
【００１１】
本発明の不燃性組成物は、下記の様な優れた特性を有するものである。
（１）塩素及び臭素を含まないために、大気中に放出されてもオゾン層を破壊する危険性が殆どない。また、地球温暖化係数も小さく、地球温暖化への影響はＲ４１０Ａの約１／５〜１／１０以下である。
（２）冷凍能力等の冷媒性能がＲ４１０Ａよりも良好若しくは同等である。
【発明を実施するための最良の形態】
【００１２】
本明細書で使用する不燃性冷媒組成物という用語は、２成分以上の混合冷媒として燃焼性がない組成物を意味する。
【００１３】
本発明で用いるジフルオロメタン（ＨＦＣ３２）は下記の特性を有する化合物であり、オゾン層を破壊する危険がなく、しかもＣＯ２を１とした場合の地球温暖化係数（ＧＷＰ）が５５０であり、Ｒ４１０ＡのＧＷＰ１９８０と比較すると約１／４であり、地球温暖化に対する影響が比較的少なく、冷媒としての性能も非常に高いが、燃焼範囲（１３．３ｖｏｌ％〜２９．３ｖｏｌ％）を有している。
（ＨＦＣ３２）
分子式；ＣＦ２Ｈ２
分子量；５２
沸点；−５１．８℃
ＧＷＰ；５５０
【００１４】
また、トリフルオロヨードメタンは下記の特性を有する化合物であり、オゾン層に影響を与える塩素原子及び臭素原子を全く含まないので、オゾン層を破壊する危険性がほとんどない化合物であり、しかも地球温暖化係数（ＧＷＰ）が５以下であり、地球温暖化に対する影響が非常に小さい。また、不燃性のガスであるが分子量の大きいヨウ素を配しているため冷凍能力はＨＦＣ３２の約１／３程度である。
（トリフルオロヨードメタン）
分子式；ＣＦ３Ｉ
分子量；１９６
沸点；−２２．５℃
ＧＷＰ；＜５
【００１５】
本発明者は燃焼範囲を有するジフルオロメタンと不燃であるトリフルオロヨードメタンとの混合割合と燃焼性の関係を鋭意研究した。燃焼性はＡＳＨＲＡＥ法に準じた方法（１０Ｌ、球形フラスコ、放電点火、測定温度６０℃）で実施した。ＡＳＨＲＡＥ法については、ASHRAESTANDARD 34-2001 ASTM Designation;E681 に記載されている。
【００１６】
測定の結果、ＨＦＣ３２＋ＣＦ３Ｉ混合ガスにおいて、ＣＦ３Ｉを３５ｍａｓｓ％以上の比率で混合すれば不燃性を示す事が判明した。
【００１７】
ＡＳＨＲＡＥ法では、混合ガスの漏洩ガス組成での危険性を判断基準としており、混合ガスの沸点＋１０℃と−４０℃の値を比較し、高い側の温度による漏洩組成を燃焼判定する。ＨＦＣ３２＋ＣＦ３Ｉの混合系では−４０℃における漏洩ガス組成での評価となる。−４０℃における気液平衡で不燃限界組成であるＨＦＣ３２／ＣＦ３Ｉ＝６５／３５（ｍａｓｓ％）を気相とする液相組成はＨＦＣ３２／ＣＦ３Ｉ＝７５／２５（ｍａｓｓ％）であり、ＣＦ３Ｉを２５ｍａｓｓ％以上添加すれば不燃性を示すことが判明した。
【００１８】
今回、ＨＦＣ３２の含有量が６５ｍａｓｓ％を越えると可燃性となることが新たにわかったが、そのことがわかっていたとしても、特許文献３では、ＨＦＣ３２が６７ｍａｓｓ％以上で共沸様を示すとしているので液相組成と気相組成が同等となり、共沸様を示すという全ての範囲であるＨＦＣ３２が６７ｍａｓｓ％以上の範囲で可燃性になる疑いがあったことになる。
【００１９】
一方、ＧＷＰを低下させるためにはＨＦＣ３２の組成比は低い方が良い。また、ＨＦＣ３２が多いほうが冷凍能力は高い。ＨＦＣ３２の含有量の下限は、組成物の冷凍能力が急激に低下する前の１０ｍａｓｓ％（Ｒ４１０Ａの冷凍能力の７３％程度）、好ましくはＲ４１０Ａの冷凍能力の８０％程度となる２０ｍａｓｓ％である。ＨＦＣ３２の含有量の上限は、組成物が不燃性を示す７５ｍａｓｓ％であるが、本発明ではＧＷＰをＲ４１０Ａの１／６レベルまで下げる６０ｍａｓｓ％、好ましくは５０ｍａｓｓ％である。また、ＣＦ３Ｉの含有量の下限は４０ｍａｓｓ％、好ましくは５０ｍａｓｓ％であり、その上限は９０ｍａｓｓ％、好ましくは８０ｍａｓｓ％である。
【００２０】
特に好ましくはＲ４１０Ａの冷凍能力の８０％、ＧＷＰ（Ｒ４１０Ａ比）１／７となるＨＦＣ３２が２０〜５０ｍａｓｓ％、ＣＦ３Ｉが８０〜５０ｍａｓｓ％である。
【００２１】
本発明の不燃性組成物は高い安定性を示すが過酷な使用条件において、高度の安定性が要求される場合には必要に応じて、安定剤を添加することが出来る。
【００２２】
この様な安定剤としては、（ｉ）ニトロメタン、ニトロエタン等の脂肪族ニトロ化合物、ニトロベンゼン、ニトロスチレン等の芳香族ニトロ化合物、（ii）１，４−ジオキサン等のエーテル類、2,2,3,3,3−ペンタフルオロプロピルアミン、ジフェニルアミン等のアミン類、ブチルヒドロキシキシレン、ベンゾトリアゾール等が挙げられる。
【００２３】
安定剤は少なくとも（ｉ）より選択された化合物の１種類を含み（ii）から選択された少なくとも１種類の化合物を任意に混合しても良い。
【００２４】
安定剤の使用量は、安定剤の種類により異なるが、不燃性組成物の性質に支障ない程度とする。通常安定剤の使用量はジフルオロメタンとトリフルオロヨードメタンの混合物１００重量部に対して、０．１〜１０重量部程度とすることが好ましく、０．１〜５重量部程度とすることがより好ましい。
【００２５】
本発明の不燃性組成物は、従来のフロンと同様に冷媒、熱移動媒体、動作流体、発泡剤などの各種の用途に用いることができ、特に、エアコン、冷凍機、冷蔵庫、カーエアコン、コンテナ用冷凍装置などその他各種低温機器用の冷媒として有用である。特に、Ｒ４１０Ａの代替冷媒として好適に用いられる。
【実施例】
【００２６】
以下、実施例を示して本発明を更に詳細に説明する。
【００２７】
実施例１
各種の組成のジフルオロメタンとトリフルオロヨードメタンの混合物について、蒸発器における熱媒体の蒸発温度を５℃、凝縮器における凝縮温度を４５℃、過熱度０℃、過冷却度０℃として、運転を行い、冷凍能力を求めた結果を以下の表１及び図１に示す。
【００２８】
比較例１
Ｒ４１０Ａも同様に蒸発器における熱媒体の蒸発温度を５℃、凝縮器における凝縮温度を４５℃、過熱度０℃、過冷却度０℃として、運転を行い、冷凍能力を求めた結果を表１に示す。
【００２９】
なお、冷凍能力は、冷凍サイクル運転を行い、蒸発器出口の作動流体のエンタルピーｈ1、蒸発器入り口の作動流体のエンタルピーｈ4、蒸発器出口のガス密度ρとした場合、計算式（ｈ1−ｈ4）×ρにより求めた。
【００３０】
【表１】
2009024152.tif 000003
【００３１】
以上の結果から、本発明者はＨＦＣ３２／ＣＦ３Ｉの混合物は特定の組成範囲ＨＦＣ３２／ＣＦ３Ｉ＝１０〜６０／４０〜９０（ｍａｓｓ％）において、ＨＦＣ３２の特徴である冷凍能力の高さを大きくは損なわず、Ｒ４１０Ａの冷媒性能（圧力、冷凍能力）と同等もしくは急激な減少が無い事を見出した。本発明の組成物は、ＣＦ３Ｉの特徴である不燃性を示しＧＷＰの低減も可能であり、Ｒ４１０Ａより地球環境に配慮した混合ガスの提供ができ有意義である。
【図面の簡単な説明】
【００３２】
【図１】各種の組成のジフルオロメタンとトリフルオロヨードメタンの混合物についての冷凍能力を求めた結果を示す。
【図１】
2009024152.tif 000004